(57)【要約】【課題】従来の光ディスク装置の記録方法及び光ディスク装置はレーザ光の光源（図示せず）であるレーザダイオードやレーザ駆動部１２であるドライバＩＣがこれら自身の発熱や周囲温度の影響などによりこれらの補償温度を越えた高温となって制御不能の状態になることがあった。【解決手段】温度測定手段としての温度センサ１６で環境温度を測定し、対応手段としてのコントローラ１３内のメモリに記憶されたデータテーブルで設定環境温度と設定記録速度の対応を行い、記録制御手段としてのディジタル信号処理部１１で前記環境温度測定結果と対応結果に基づいて記録速度を変更し、前記記録速度の変更は記録動作と再生相当にレーザ光出力を下げた記録停止動作を交互に繰り返しながら記録動作時間と記録停止動作時間の比率を変更して行うこととした。【選択図】図１
2005166232.tif 000002
【特許請求の範囲】
【請求項１】
記録メディアにレーザ光を照射することにより情報を記録する光ディスク装置の記録方法であって、温度測定手段で環境温度を測定し、対応手段で設定環境温度と設定記録速度の対応を行い、記録制御手段で前記環境温度測定結果と対応結果に基づいて記録速度を変更し、前記記録速度の変更は記録動作と再生相当にレーザ光出力を下げた記録停止動作を交互に繰り返しながら記録動作時間と記録停止動作時間の比率を変更して行うことを特徴とする光ディスク装置の記録方法。
【請求項２】
記録動作と記録停止動作を交互に繰り返す周期を所定の一定値としたことを特徴とする請求項１に記載の光ディスク装置の記録方法。
【請求項３】
記録停止動作時間を所定の一定値としたことを特徴とする請求項１に記載の光ディスク装置の記録方法。
【請求項４】
記録動作時間と記録停止時間の比率にはすべて記録動作である場合を含むことを特徴とする請求項１に記載の光ディスク装置の記録方法。
【請求項５】
記録速度には環境温度が上がらない記録速度である場合を含むことを特徴とする請求項１に記載の光ディスク装置の記録方法。
【請求項６】
記録動作時間と記録停止時間の比率にはすべて記録停止動作である場合を含むことを特徴とする請求項５に記載の光ディスク装置の記録方法。
【請求項７】
設定環境温度と設定記録速度の対応は設定環境温度が高いほど設定記録速度が低いものであることを特徴とする請求項１に記載の光ディスク装置の記録方法。
【請求項８】
設定環境温度と設定記録速度の対応は記録開始にはすべて記録動作の場合に対応し、最高の設定環境温度になったときに環境温度が上がらない記録速度に対応し、温度が下がって各設定環境温度になったときに各設定記録速度に対応することを特徴とする請求項７に記載の光ディスク装置の記録方法。
【請求項９】
最低の設定環境温度ではすべて記録動作の場合に対応することを特徴とする請求項８に記載の光ディスク装置の記録方法。
【請求項１０】
設定環境温度と設定記録速度の対応は記録開始にはすべて記録動作の場合に対応し、各設定環境温度になったときに各設定記録速度に対応することを特徴とする請求項７に記載の光ディスク装置の記録方法。
【請求項１１】
最低の設定環境温度ではすべて記録動作の場合に対応することを特徴とする請求項１０に記載の光ディスク装置の記録方法。
【請求項１２】
環境温度はレーザ光の光源の温度またはそれを反映する周辺の温度あるいはレーザ光の光源を駆動するレーザ駆動源の温度またはそれを反映する周辺の温度の少なくともいずれか１つであることを特徴とする請求項１に記載の光ディスク装置の記録方法。
【請求項１３】
レーザ光の光源の温度はレーザ光の光源を駆動する駆動電流と対応させたことを特徴とする請求項１２に記載の光ディスク装置の記録方法。
【請求項１４】
記録メディアにレーザ光を照射することにより情報を記録する光ディスク装置であって、環境温度を測定する温度測定手段と、設定環境温度と設定記録速度の対応を行う対応手段と、環境温度測定結果と対応結果に基づいて記録速度を変更する記録制御手段を備え、請求項１から請求項１３のいずれかに１つに記載の光ディスク装置の記録方法を用いたことを特徴とする光ディスク装置。
【発明の詳細な説明】
【技術分野】
【０００１】
本発明は記録媒体に情報の記録が可能な光ディスク装置の記録方法及び光ディスク装置に関するものである。
【背景技術】
【０００２】
光ディスク装置はオーディオ用ＣＤをはじめとしてＣＤ−ＲＯＭ、ＣＤ−Ｒ／ＲＷ、ＤＶＤなどがすでに実用化されており、各方面への応用と高性能化への開発が活発に行われている。特に最近ではパーソナルコンピュータの急速な市場拡大に伴い光ディスク装置のパーソナルコンピュータへの内蔵普及率も高くなっている。
【０００３】
図８は従来の光ディスク装置の光ピックアップ制御部のブロック図である。図８を用いて従来の光ディスク装置の光ピックアップ制御部の構成と動作について説明する。ピックアップモジュール２は光ディスク１を回転させるスピンドルモータ３と、光ディスク１の情報信号を読み取るための光ピックアップ４と、光ピックアップ４が搭載されたキャリッジ５を光ディスク１の半径方向に移動させるためのフィード部６とによって構成されたものである。レーザ光の光源であるレーザダイオード（図示せず）は光ピックアップ４内にあり、レーザ駆動部１２により駆動される。レーザ光は、光ピックアップ４内の光学素子を経由して対物レンズ１４より光ディスク１に出射され、その反射光は再び対物レンズ１４や光ピックアップ４内の光学素子を経由して光ピックアップ４内部の光センサ（図示せず）で受光される。アナログ信号処理部８はピックアップモジュール２の内部に設けられたキャリッジ５中の光ピックアップ４内部の光センサ（図示せず）からの信号出力をもとに、フォーカスエラー信号とトラッキングエラー信号とを生成し、サーボ処理部９に出力する。
【０００４】
フォーカスエラー信号とは光ピックアップ４に備えられた対物レンズ１４より出射される光ビームスポットと光ディスク１の記録面との焦点方向のずれを示す信号である。トラッキングエラー信号とは前記光スポットと光ディスク１の情報トラックの半径方向のずれを示す信号である。また、アナログ信号処理部８はトラッキングエラー信号の低域成分を取り出すことにより、対物レンズ１４とキャリッジ５との相対的な位置関係を示すレンズ位置信号をも生成し、モータ駆動部１０に出力する。
【０００５】
サーボ処理部９はディジタル信号処理部１１内に構成され、ＯＮ／ＯＦＦ回路、演算回路、フィルタ回路、増幅回路等によって構成される。そして光ビームスポットが光ディスク１の情報トラックに追従するように対物レンズ１４をフォーカス／トラッキング制御し、さらにトラッキングエラー信号の低域成分を用いて対物レンズ１４が概略中立位置を保持するようにフィード制御を行う。フィード部６はフィードモータ７、ギヤ（図示せず）、スクリューシャフト（図示せず）等から構成され、フィードモータ７を回転させることによってキャリッジ５を移動させる。その際フィードモータ７はフィードモータパルスを周期的に出力するようになっている。コントローラ１３はこのように構成されたサーボ部全体のコントロールを行うものである。
【０００６】
再生動作時は、光ピックアップ４は光ディスク１にレーザ光を低出力で照射し、その光ディスク１からの反射光を光センサ（図示せず）で受光し、その受光した光に応じた再生信号をアナログ信号処理部８に出力する。さらにアナログ信号処理部８は再生信号をディジタル信号処理部１１に出力する。
【０００７】
ディジタル信号処理部１１はデータスライサ、データＰＬＬ回路、ジッタ測定回路、エラー訂正部、変／復調部、バッファメモリ、レーザ制御部等から構成されており、再生信号をホストコンピュータ１５へ有効なデータとして転送する。
【０００８】
記録動作時は、ディジタル信号処理部１１はホストコンピュータ１５から送られてきたデータを変調し、レーザ制御部からレーザ駆動部１２へ記録の指令を送る。レーザ駆動部１２は光ピックアップ４内のレーザ光の光源であるレーザダイオード（図示せず）に所定の電流を供給し、例えばマルチパルス記録方式と呼ばれる方式で光源を高出力でパルス状に発光させて光ディスク１の情報トラックに記録を行う。コントローラ１３はこのように構成された記録再生部の全体のコントロールをも行うものである。
【０００９】
先行例としては、（特許文献１）（特許文献２）等がある。
【特許文献１】特開平５−２６６４８９号公報
【特許文献２】特開２００３−２８１７３３号公報
【発明の開示】
【発明が解決しようとする課題】
【００１０】
近年の光ディスク装置の薄型化、軽量化や記録系ＤＶＤへの対応に伴い、レーザ光の光源であるレーザダイオードやこれを駆動するレーザ駆動部１２であるドライバＩＣなどの発熱が大きな課題となりつつある。すなわち、記録系ＤＶＤ用のレーザダイオードはＣＤ−ＲＯＭ、ＣＤ−Ｒ／ＲＷ用のレーザダイオードに比べ高出力であることから、発熱量も大きい。ドライバＩＣについても同様である。さらに、薄型化や軽量化に対応した光ディスク装置の場合、レーザダイオードやドライバＩＣを保持するキャリッジ５などの部材も薄型軽量となっており、従来の光ディスク装置の部材に比べ熱容量も表面積も小さくなっているため、レーザダイオードやドライバＩＣの温度が高温となりやすい傾向がある。レーザダイオードやドライバＩＣはそれぞれ規定されている補償温度を越えると動作が不安定になる。そして停止するなど制御不能になり、最悪それまで記録したデータも破損してしまうことがある。そうでなければ、強制停止しなければならない。
【００１１】
本発明はこのような従来の課題を解決するものであり、レーザ光の光源であるレーザダイオードやレーザ駆動部であるドライバＩＣがこれら自身の発熱や周囲温度の影響などによりこれらの補償温度を越えた高温となって制御不能になることを防ぐことができる光ディスク装置の記録方法及び光ディスク装置を提供することを目的とする。
【課題を解決するための手段】
【００１２】
本発明は上記目的を達成するために、温度測定手段で環境温度を測定し、対応手段で設定環境温度と設定記録速度の対応を行い、記録制御手段で前記環境温度測定結果と対応結果に基づいて記録速度を変更し、前記記録速度の変更は記録動作と再生相当にレーザ光出力を下げた記録停止動作を交互に繰り返しながら記録動作時間と記録停止動作時間の比率を変更して行うこととした。これは再生相当にレーザ光出力を下げた記録停止動作を行うとレーザダイオードを高出力で発光させないために記録は進まないが、レーザ光の光源であるレーザダイオードやレーザ駆動部であるドライバＩＣの温度をこれらの補償温度より確実に下げることができることを利用したものである。
【発明の効果】
【００１３】
本発明はレーザ光の光源であるレーザダイオードやレーザ駆動部であるドライバＩＣがこれら自身の発熱や周囲温度の影響などによりこれらの補償温度を越えた高温となって制御不能になることを防ぐことができる。そのため中断や停止することなく安定した記録を終了するまで継続して行うことができる。
【発明を実施するための最良の形態】
【００１４】
本発明の第１の発明は、記録メディアにレーザ光を照射することにより情報を記録する光ディスク装置の記録方法であって、温度測定手段で環境温度を測定し、対応手段で設定環境温度と設定記録速度の対応を行い、記録制御手段で前記環境温度測定結果と対応結果に基づいて記録速度を変更し、前記記録速度の変更は記録動作と再生相当にレーザ光出力を下げた記録停止動作を交互に繰り返しながら記録動作時間と記録停止動作時間の比率を変更して行うことを特徴とする光ディスク装置の記録方法であり、レーザ光の光源であるレーザダイオードやレーザ駆動部であるドライバＩＣがこれら自身の発熱や周囲温度の影響などによりこれらの補償温度を越えた高温となって制御不能になることを防ぐことができる。そのため中断や停止することなく安定した記録を終了するまで継続して行うことができる。
【００１５】
第２の発明は、記録動作と記録停止動作を交互に繰り返す周期を所定の一定値としたことを特徴とする請求項１に記載の光ディスク装置の記録方法であり、記録速度の変更の制御が容易である。
【００１６】
第３の発明は、記録停止動作時間を所定の一定値としたことを特徴とする請求項１に記載の光ディスク装置の記録方法であり、ホストコンピュータの動作停止時間も一定になることによって、ホストコンピュータとのデータの受け渡し処理などの制御が容易になる。
【００１７】
第４の発明は、記録動作時間と記録停止時間の比率にはすべて記録動作である場合を含むことを特徴とする請求項１に記載の光ディスク装置の記録方法であり、レーザダイオードやドライバＩＣの温度が補償温度近くまでにならない通常の使用状態においては、間欠記録動作を行わず記録速度重視の記録ができる。
【００１８】
第５の発明は、記録速度には環境温度が上がらない記録速度である場合を含むことを特徴とする請求項１に記載の光ディスク装置の記録方法であり、レーザダイオードやドライバＩＣなどの温度が補償温度の上限を越え、制御不能になることを少なくとも回避できる。
【００１９】
第６の発明は、記録動作時間と記録停止時間の比率にはすべて記録停止動作である場合を含むことを特徴とする請求項５に記載の光ディスク装置の記録方法であり、確実に環境温度を下げることができるのでレーザダイオードやドライバＩＣの温度が補償温度に達して制御不能になるおそれがなくなり、より信頼性が高くなる。
【００２０】
第７の発明は、設定環境温度と設定記録速度の対応は設定環境温度が高いほど設定記録速度が低いものであることを特徴とする請求項１に記載の光ディスク装置の記録方法であり、記録速度への影響を考慮しながら効率良くレーザダイオードやドライバＩＣなどの発熱を低減することができる。
【００２１】
第８の発明は、設定環境温度と設定記録速度の対応は記録開始にはすべて記録動作の場合に対応し、最高の設定環境温度になったときに環境温度が上がらない記録速度に対応し、温度が下がって各設定環境温度になったときに各設定記録速度に対応することを特徴とする請求項７に記載の光ディスク装置の記録方法であり、レーザダイオードやドライバＩＣなどの温度が補償温度の上限を越えないようにしながら速い記録速度を実現できる。
【００２２】
第９の発明は、最低の設定環境温度ではすべて記録動作の場合に対応することを特徴とする請求項８に記載の光ディスク装置の記録方法であり、レーザダイオードやドライバＩＣなどの温度が補償温度の上限を越えないようにしながらより速い記録速度を実現できる。
【００２３】
第１０の発明は、設定環境温度と設定記録速度の対応は記録開始にはすべて記録動作の場合に対応し、各設定環境温度になったときに各設定記録速度に対応することを特徴とする請求項７に記載の光ディスク装置の記録方法であり、レーザダイオードやドライバＩＣなどの温度が補償温度の上限をより越えにくいようにしながら記録速度を維持できる。
【００２４】
第１１の発明は、最低の設定環境温度ではすべて記録動作の場合に対応することを特徴とする請求項１０に記載の光ディスク装置の記録方法であり、レーザダイオードやドライバＩＣなどの温度が補償温度の上限をより越えにくいようにしながら速い記録速度を維持できる。
【００２５】
第１２の発明は、環境温度はレーザ光の光源の温度またはそれを反映する周辺の温度あるいはレーザ光の光源を駆動するレーザ駆動源の温度またはそれを反映する周辺の温度の少なくともいずれか１つであることを特徴とする請求項１に記載の光ディスク装置の記録方法であり、発熱するレーザダイオードなどのレーザ光の光源やドライバＩＣなどレーザ駆動部の温度状態を検知するので、これらの温度を考慮した制御をすることができる。
【００２６】
第１３の発明は、レーザ光の光源の温度はレーザ光の光源を駆動する駆動電流と対応させたことを特徴とする請求項１２に記載の光ディスク装置の記録方法であり、より正確で精度が高い温度制御ができる。
【００２７】
第１４の発明は、記録メディアにレーザ光を照射することにより情報を記録する光ディスク装置であって、環境温度を測定する温度測定手段と、設定環境温度と設定記録速度の対応を行う対応手段と、環境温度測定結果と対応結果に基づいて記録速度を変更する記録制御手段を備え、請求項１から請求項１３のいずれかに１つに記載の光ディスク装置の記録方法を用いたことを特徴とする光ディスク装置であり、レーザ光の光源であるレーザダイオードやレーザ駆動部であるドライバＩＣがこれら自身の発熱や周囲温度の影響などによりこれらの補償温度を越えた高温となって制御不能になることを防ぐことができる。そのため中断や停止することなく安定した記録を終了するまで継続して行うことができる。
【実施例】
【００２８】
以下本発明の実施例について図面を用いて説明する。
【００２９】
（実施例１）
図１は本発明の実施例１における光ディスク装置の光ピックアップ制御部のブロック図、図２は本発明の実施例１における光ディスクの装置の間欠記録動作におけるＤｕｔｙについて説明する図、図３は本発明の実施例１における光ディスク装置の記録時の動作の流れを示す図、図４は本発明の実施例１における光ディスク装置の間欠記録動作と環境温度の関係を示す図である。
【００３０】
図１において、ピックアップモジュール２には記録可能な光ディスク１を可変的に回転させたりあるいは一定回転させたりするスピンドルモータ３、光ディスク１に光を照射することで光ディスク１に所定の情報を記録したりあるいは光ディスク１に照射した光の反射光をもとに情報を読み出したりする光ピックアップ４、レーザ光の光源となるレーザダイオード（図示せず）、レーザ光の光源を駆動するレーザ駆動部１２となるドライバＩＣ、光ピックアップ４を搭載したキャリッジ５、キャリッジ５を光ディスク１の半径方向に往復移動させるように駆動するフィード部６、フィード部６の駆動源となるフィードモータ７がそれぞれ固定されている。温度測定手段としての温度センサ１６は光ピックアップ４の環境温度を測定する。このような構成によって、小型／薄型の光ディスク装置を実現している。
【００３１】
ここで、温度センサ１６が測定する環境温度はレーザ光の光源またはレーザ駆動部１２の少なくとも一方の温度を反映するものである。これらはレーザ光の光源またはレーザ駆動部１２の温度を直接測定するものであっても良いし、推定できる周辺の温度を測定するものであっても良い。温度センサ１６はサーミスタなどであるが、他の温度測定手段を用いても良い。このことにより、温度が上昇するレーザ光の光源やレーザ駆動部１２の温度を考慮した制御をすることができる。
【００３２】
なお、本実施例１では、ピックアップモジュール２に上記各部材を搭載したが、各部材の少なくとも１つを搭載しても良く、他の部材は他の光ディスク装置内部の部分に搭載固定しても良い。
【００３３】
フィード部６はフィードモータ７、ギヤ（図示せず）、スクリューシャフト（図示せず）等から構成され、フィードモータ７を回転させることによってキャリッジ５が光ディスク１の内周−外周間を移動するように構成されている。
【００３４】
光ピックアップ４内のレーザダイオード（図示せず）を光源とするレーザ光は光ピックアップ４内の光学素子を経由して対物レンズ１４より光ディスク１に照射される。その反射光は再び対物レンズ１４や光ピックアップ４内の光学素子を経由して光ピックアップ４内部の光センサ（図示せず）で受光される。
【００３５】
アナログ信号処理部８はピックアップモジュール２の内部に構成されるキャリッジ５中の光ピックアップ４内部の光センサ（図示せず）からの信号出力をもとに、フォーカスエラー信号とトラッキングエラー信号を生成し、記録制御手段を構成するディジタル信号処理部１１内に設けられたサーボ処理部９に出力する。
【００３６】
サーボ処理部９を含むディジタル信号処理部１１はアナログ信号処理部８から送られてきたアナログ信号をディジタル信号に変換するＡ／Ｄ変換器、Ａ／Ｄ変換器で変換されたディジタル信号を一時的に記憶するメモリ、メモリに記憶されたディジタル信号あるいはＡ／Ｄ変換器から送られてきたディジタル信号を所定の方法で演算する演算回路、演算回路にて演算されたディジタル信号をアナログ信号に変換するＤ／Ａ変換器等によって構成される。特にサーボ処理部９は光ビームスポットが光ディスク１の情報トラックに追従するようにフィルタ信号処理や各種演算処理をディジタル演算によって行う構成になっている。このため、ディジタル信号処理部１１は対応手段を構成するコントローラ１３からの指令によりいろいろなパラメータ設定やシーケンス制御をフレキシブルに行うことができる。
【００３７】
環境温度を測定した温度センサ１６の信号はアナログ信号処理部８を経由してディジタル信号処理部１１に送られる。
【００３８】
そしてサーボ処理部９はモータ駆動部１０を介して光ピックアップ４に搭載されている対物レンズ１４をフォーカス方向／トラッキング方向に移動させる制御、フィード部６の移送制御、さらにスピンドルモータ３の回転制御等を行う。ＣＤやＤＶＤの記録時は線速度一定（ＣＬＶ）となるようにディスクモータの回転制御を行うが、再生時にはできるだけ高いデータ転送レートを得るために、ディスクを角速度一定（ＣＡＶ）となるようにディスクモータの回転制御を行う。ＣＡＶモードについては回転数の異なる複数の回転速度のモードがある。
【００３９】
再生動作時は、光ピックアップ４は光ディスク１にレーザ光を低出力で照射し、その光ディスク１からの反射光を光センサ（図示せず）で受光し、その受光した光に応じた再生信号をアナログ信号処理部８に出力する。さらにアナログ信号処理部８は再生信号をディジタル信号処理部１１に出力する。
【００４０】
記録再生信号処理を行うディジタル信号処理部１１はデータスライサ、データＰＬＬ回路、ジッタ測定回路、エラー訂正部、変／復調部、バッファメモリ、レーザ制御部等から構成されており、再生信号をホストコンピュータ１５へ有効なデータとして転送する。
【００４１】
記録動作時は、ディジタル信号処理部１１はホストコンピュータ１５から送られてきたデータを変調し、レーザ制御部からレーザ駆動部１２へ記録の指令を送る。レーザ駆動部１２は光ピックアップ４内のレーザ光の光源であるレーザダイオード（図示せず）に所定の電流を供給し、例えばマルチパルス記録方式と呼ばれる方式で光源を高出力でパルス状に発光させて光ディスク１の情報トラックに記録を行う。コントローラ１３はこのように構成された光ディスク装置全体のコントロールを行うものである。
【００４２】
次に、本発明の実施例１における記録方法の流れについて説明する。
【００４３】
ホストコンピュータ１５から記録の指令が出され、データが送られてくると、ディジタル信号処理部１１はホストコンピュータ１５から送られてきたデータを変調し、レーザ制御部からレーザ駆動部１２であるドライバＩＣへ記録の指令を送る。ドライバＩＣは光ピックアップ４内のレーザ光の光源であるレーザダイオード（図示せず）に所定の電流を供給し、光源を高出力で発光させ、光ディスク１の情報トラックに記録を行う。コントローラ１３は、所定の間隔毎に温度センサ１６からの環境温度測定値を読み取り、あらかじめ対応手段としてのコントローラ１３内のメモリに記憶されたデータテーブルとの比較を行う。ここでデータテーブルは設定環境温度と設定記録速度を対応させたものである。設定環境温度はレーザ光の光源またはレーザ駆動部１２の少なくとも一方の温度を反映しており、設定環境温度の最高値はレーザ光の光源またはレーザ駆動部１２の許容できる温度の上限値もしくは上限値に近い値に対応させる。また、設定記録速度は記録動作と再生相当にレーザ光出力を下げた記録停止動作を交互に繰り返す間欠記録動作における記録動作時間と記録停止動作時間の比率に対応させたものである。記録制御手段としてディジタル信号処理部１１は、この比較結果に基づき記録速度を変更して記録を行う。
【００４４】
次に間欠記録動作について図２を用いて説明する。図２において横軸は時間、縦軸はレーザ光の出力である。ここで、記録動作というのは実際に高出力でレーザダイオードを発光させ、情報を光ディスク１に記録する動作である。記録停止動作というのはレーザダイオードの出力を再生相当の低出力に下げて情報の記録のみを停止する動作である。この記録動作と記録停止動作を交互に繰り返す動作を間欠記録動作という。間欠記録動作における記録動作時間と記録停止動作時間の比率、すなわち記録動作時間／（記録動作時間＋記録停止動作時間）（％）をＤｕｔｙと呼ぶ（以下Ｄｕｔｙという。）。つまり、実際に高出力でレーザダイオードを発光させて情報を光ディスク１に記録する動作時間の割合である。例えば記録動作と記録停止動作を交互に繰り返す周期を２秒とした場合、Ｄｕｔｙ＝７０％の場合は図２（ｂ）に示すように、レーザダイオードはこの２秒の７０％である１．４秒間だけ高出力で発光し、残りの０．６秒間は再生相当の低出力で発光することを示している。また、Ｄｕｔｙ＝１００％の場合は図２（ａ）に示すように、この２秒でレーザの記録停止動作時間を設けないことであり、逆にＤｕｔｙ＝０％の場合は図２（ｃ）に示すようにすべてが記録停止動作時間である。なお、記録動作時はマルチパルス記録方式により、レーザ光は細かくパルス状に点滅しているが、ここでいう間欠記録動作はこれを示すものではなく、図２においても高出力で発光中のこの動作は図示していない。
【００４５】
記録動作と記録停止動作を交互に繰り返す周期は、０．５秒から３秒の間にあること、さらに好ましくは１秒から２秒の間にあることが望ましい。記録動作と記録停止動作を交互に繰り返す周期が短すぎると、間欠記録動作による発熱低減の効果が出にくくなり、また、長すぎるとＤｕｔｙによっては記録動作が停止する時間が長くなることによって、ホストコンピュータ１５の動作の停止時間が長くなるなど、ホストコンピュータ１５とのデータの受け渡しやホストコンピュータ１５の操作性に不具合が生じる場合があるからである。そのため本実施例１では記録動作と記録停止動作を交互に繰り返す周期は２秒に設定している。また、周期を一定としていることで記録速度の変更の制御は容易である。
【００４６】
なお、間欠記録動作によってデータの記録を時間的に分割しているが、ディスク面に記録されるデータに切れ目が生じないように、記録動作を一時停止する際は停止した場所を記憶しておき、記録動作を再開する場合は記憶しておいた停止位置から記録動作を再開する処理を行っている。
【００４７】
Ｄｕｔｙを低くすると、一定記録時間中のレーザダイオードの高出力発光時間は短くなるためレーザダイオードの発熱を低減することができる一方、一定記録時間中の実際に記録動作が行われている時間も短くなるため全データを記録するための記録時間は長くなる。つまりＤｕｔｙは記録速度そのものに対応する。したがって、Ｄｕｔｙは１００％かできる限り高い値になるように設定し、環境温度が上昇してレーザダイオードやドライバＩＣが補償温度を越えて破損の危険がある場合などの対策としてＤｕｔｙを下げるよう設定することが望ましい。
【００４８】
次に、図３及び図４を用いて環境温度とＤｕｔｙすなわち記録速度の変更の制御の流れを説明する。本実施例１においてコントローラ１３内のメモリに記憶されたデータテーブルには第１から第４までの設定環境温度としてそれぞれ６７、６６．５、６６、６５℃が、それに対応するＤｕｔｙとしてそれぞれ１０、５０、７５、１００％があらかじめ設定されている。また、このように設定環境温度が高いほどＤｕｔｙすなわち記録速度は低い値に対応させている。そうすることで記録速度への影響を考慮しながら効率良くＬＤやドライバＩＣ等の発熱を低減できる。
【００４９】
記録開始前の初期状態ではＤｕｔｙは未設定（Ｓ０）で、記録開始時はＤｕｔｙ＝１００％に設定する（Ｓ１）。コントローラ１３は記録中所定の間隔毎に温度センサ１６からの環境温度測定値（ＭＳＴ）を読み取り、メモリに記憶されたデータテーブルの第１の設定環境温度との比較を行う。第１の設定環境温度は前記のように６７℃である。環境温度測定値が第１の設定環境温度より低い場合はＤｕｔｙ＝１００％にて記録を続ける。記録終了まで環境温度測定値が第１の設定環境温度より低い場合はＤｕｔｙ＝１００％にて記録を終了する（Ｓ２）。この（Ｓ０）−（Ｓ１）−（Ｓ２）の制御の流れによる環境温度測定値の変化は図４のＡ曲線に相当する。
【００５０】
記録中に環境温度測定値が第１の設定環境温度以上となった場合（Ｓ３）はＤｕｔｙ＝１０％に変更する（Ｓ４）。Ｄｕｔｙ＝１０％まで下げると発熱は大幅に低減し環境温度測定値は第１の設定環境温度以下に下がる。しかし光ディスク装置周辺の温度が高いなどの理由でＤｕｔｙ＝１０％であっても環境温度測定値がメモリに記憶されたデータテーブルの第２の設定環境温度まで下がらない場合はＤｕｔｙ＝１０％のまま記録を終了する（Ｓ５）。この（Ｓ０）−（Ｓ１）−（Ｓ３）−（Ｓ４）−（Ｓ５）の制御の流れによる環境温度測定値の変化は図４のＢ曲線に相当する。
【００５１】
Ｄｕｔｙ＝１０％で記録を行うことによりレーザダイオードの発熱は低減し、環境温度測定値が下がり、メモリに記憶されたデータテーブルの第２の設定環境温度以下になった場合（Ｓ６）はＤｕｔｙ＝５０％に上げる（Ｓ７）。本実施例１では第２の設定環境温度は前記の通り６６．５℃である。
【００５２】
Ｄｕｔｙ＝５０％にて記録を続け、さらに環境温度測定値が下がり、メモリに記憶されたデータテーブルの第３の設定環境温度以下になった場合（Ｓ８）はＤｕｔｙ＝７５％に上げる（Ｓ９）。本実施例１では第３の設定環境温度は前記の通り６６℃である。なお、環境温度測定値が第３の設定環境温度まで下がらない場合はＤｕｔｙ＝５０％のまま記録を続ける。この（Ｓ０）−（Ｓ１）−（Ｓ３）−（Ｓ４）−（Ｓ６）−（Ｓ７）−（Ｓ５）の制御の流れによる環境温度測定値の変化は図４のＣ曲線に相当する。
【００５３】
Ｄｕｔｙ＝５０％にて記録を行うことによって再び環境温度測定値が上昇した場合、再び第１の設定環境温度以上になったとき（Ｓ１３）に再びＤｕｔｙ＝１０％に下げる（Ｓ４）。また、Ｄｕｔｙ＝７５％に上げたことにより環境温度測定値が上昇した場合、再び第１の設定環境温度以上になったとき（Ｓ１０）に再びＤｕｔｙ＝１０％に下げる（Ｓ４）。このまま記録終了まで記録を行ったときの（Ｓ０）−（Ｓ１）−（Ｓ３）−（Ｓ４）−（Ｓ６）−（Ｓ７）−（Ｓ８）−（Ｓ９）−（Ｓ１０）−（Ｓ４）−（Ｓ５）の制御の流れによる環境温度測定値の変化は図４のＤ曲線に相当する。
【００５４】
環境温度測定値がなおも下がり、メモリに記憶されたデータテーブルの第４の設定環境温度以下になった場合（Ｓ１１）はＤｕｔｙ＝１００％まで戻す。本実施例１では第４の設定環境温度は６５℃である。このまま記録終了まで記録を行ったときの（Ｓ０）−（Ｓ１）−（Ｓ３）−（Ｓ４）−（Ｓ６）−（Ｓ７）−（Ｓ８）−（Ｓ９）−（Ｓ１１）−（Ｓ１）−（Ｓ２）の制御の流れによる環境温度測定値の変化は図４のＥ曲線に相当する。
【００５５】
Ｄｕｔｙ＝７５％で環境温度測定値が第３の設定環境温度と第４の設定環境温度の間を維持する場合はＤｕｔｙ＝７５％のまま記録を続ける（Ｓ１２）。この（Ｓ０）−（Ｓ１）−（Ｓ３）−（Ｓ４）−（Ｓ６）−（Ｓ７）−（Ｓ８）−（Ｓ９）−（Ｓ１２）の制御の流れによる環境温度測定値の変化は図４のＦ曲線に相当する。
【００５６】
以上の環境温度とＤｕｔｙすなわち記録速度の変更の制御の流れは以下のように表現できる。初期状態からＤｕｔｙ＝１００％すなわちすべて記録動作の状態で記録開始し、環境温度測定値が最高の設定環境温度である第１の設定環境温度に到達すると、Ｄｕｔｙは対応する最低のＤｕｔｙに変更される。そこから環境温度測定値が下がっていって各設定環境温度に到達したときにはその設定環境温度に対応するＤｕｔｙに変更される。しかし、環境温度測定値が上昇して各設定環境温度に到達してもＤｕｔｙは変更されず、第１の設定環境温度に到達するまでそのＤｕｔｙが維持される。このように、本実施例１における環境温度とＤｕｔｙすなわち記録速度の変更の制御の流れは最高の設定環境温度以下を維持しながら速い記録速度を実現している。
【００５７】
本実施例１において、記録開始時及び最低の設定環境温度でのＤｕｔｙをそれぞれ１００％、すなわちすべて記録動作であり最高の記録速度の状態に対応するようにしている。これは環境温度が比較的低い領域ではできるだけ速い記録速度で記録することが望ましいためである。逆に、装置の想定される設置環境、装置の設計思想等によってはすべて記録動作の状態に対応させなくても良い。
【００５８】
最高の設定環境温度である第１の設定環境温度は環境温度の許容できる上限値もしくは上限値に近い値に設定される。そのため、最低のＤｕｔｙすなわち最低の記録速度は環境温度測定値がこの第１の設定環境温度に達した場合に環境温度測定値の上昇を確実に抑止することができる値に設定し、最終的にレーザ光の光源であるレーザダイオードやレーザ駆動部１２であるドライバＩＣの温度が補償温度を越えないようにする必要がある。その中にはＤｕｔｙ＝０％すなわちすべて記録停止動作の場合も含まれる。その時には確実に環境温度を下げることができる。本実施例１の場合、最低のＤｕｔｙを１０％に設定している。Ｄｕｔｙ＝１０％は記録速度の低下は大きいが環境温度測定値の上昇を確実に抑制することができるＤｕｔｙであることを実験的に確認した上で設定したものである。
【００５９】
なお、設定環境温度と対応するＤｕｔｙすなわち記録速度はそれぞれ４つとしているが、それに限るものではなく最適な数を設定しても良い。設定環境温度とＤｕｔｙはそれぞれ１つでも良く、環境温度測定値がこの設定環境温度に到達したときこのＤｕｔｙを適用することによりレーザダイオードやドライバＩＣの温度が確実に補償温度を越えないように設定環境温度やＤｕｔｙが設定される。しかし、レーザダイオードやドライバＩＣの信頼性と記録性能の両立を考慮すると、本実施例１のような複数の設定環境温度とそれらに対応したＤｕｔｙすなわち記録速度を設定することが望ましい。また、この場合、設定環境温度が高いほどこれに対応したＤｕｔｙすなわち記録速度は低くすることが望ましい。
【００６０】
また、環境温度の許容できる上限値もしくは上限値に近い値に設定される設定環境温度と環境温度測定値の差分を取り、この差分からＤｕｔｙすなわち記録速度を設定するよう関数かデータテーブルを備えても良い。
【００６１】
また、コントローラ１３内のメモリに記憶されたデータテーブルには設定環境温度として環境温度の時間的な変化率を含んで設定し、Ｄｕｔｙすなわち記録速度と対応させても良い。
【００６２】
環境温度の測定においてコントローラ１３は記録中所定の間隔毎に温度センサ１６からの環境温度測定値を読み取っているが、この読み取り周期は少なくとも０．１秒以上であって、間欠記録動作の記録動作と記録停止動作を交互に繰り返す周期（本実施例１では２秒に設定）以下であることが望ましい。環境温度測定値の読み取り周期が記録動作と記録停止動作を交互に繰り返す周期よりも長くなると環境温度変化に対するＤｕｔｙの変更の応答性が悪くなる場合があり、環境温度測定値の読み取り周期が短すぎてもコントローラ１３へ負荷がかかり望ましくないためである。そこで本実施例１では１秒に設定している。
【００６３】
（実施例２）
図５は本発明の実施例２における光ディスク装置の記録時の動作の流れを示す図、図６は本発明の実施例２における光ディスク装置の間欠記録動作と環境温度の関係を示す図である。実施例２は実施例１と全く同じ構成、同じ記録方法の流れであるが、環境温度とＤｕｔｙすなわち記録速度の変更の制御の流れが異なる。
【００６４】
実施例２では環境温度とＤｕｔｙすなわち記録速度の変更の制御の流れは以下のように表現できる。初期状態からＤｕｔｙ＝１００％すなわちすべて記録動作の状態で記録開始する。環境温度測定値が上昇して各設定環境温度に到達しても、下降してその設定環境温度に到達してもＤｕｔｙはその設定環境温度に対応するＤｕｔｙに変更される。すなわち、環境温度が上昇するにつれてＤｕｔｙすなわち記録速度を低くするためにレーザ光の光源であるレーザダイオードまたはレーザ駆動部１２であるドライバＩＣの許容できる温度の上限値を越えにくい制御の流れである。
【００６５】
図５及び図６を用いて実施例２における環境温度とＤｕｔｙすなわち記録速度の変更の制御の流れを説明する。
【００６６】
間欠記録動作における記録と記録停止を繰り返す周期を２秒、環境温度測定値の読み取り周期を１秒、コントローラ１３内のメモリに記憶されたデータテーブルの第１から第４までの設定環境温度を６７、６６．５、６６、６５℃、それに対応するＤｕｔｙをそれぞれ１０、５０、７５、１００％とする値は実施例１と同じである。各値とも実施例１同様、適切な値とすることができる。
【００６７】
図６のＤ曲線は実施例１の図４のＤ曲線と同一であり、さらにＤ曲線上にＤｕｔｙを変更している状況を併せて示している。図５においてこのＤ曲線は次のように表現できる。記録開始前の初期状態ではＤｕｔｙは未設定（Ｓ０）で、記録開始時はＤｕｔｙ＝１００％に設定し（Ｓ１）、記録を開始する。記録開始とともに環境温度が上昇し、環境温度測定値が第３の設定環境温度である６６℃に到達した（Ｓ３）段階でＤｕｔｙ＝７５％に変更する（Ｓ４）。これで環境温度測定値の上昇が収束すれば記録を続け、終了する（Ｓ２）。環境温度測定値が下がり第４の設定環境温度以下になれば（Ｓ１１）、Ｄｕｔｙ＝１００％に戻す（Ｓ１）。
【００６８】
Ｄｕｔｙ＝７５％でも環境温度の上昇が続き、第２の設定環境温度である６６．５℃に到達した（Ｓ５）段階でＤｕｔｙ＝５０％に変更する（Ｓ６）。さらに環境温度の上昇は続き第１の設定環境温度である６７℃に到達する（Ｓ７）とＤｕｔｙ＝１０％に変更し（Ｓ８）、確実に環境温度を下げる。
【００６９】
環境温度は下がり始め、第２の設定環境温度である６６．５℃に到達し（Ｓ９）、Ｄｕｔｙ＝５０％に変更する（Ｓ６）が下降は止まらず第３の設定環境温度である６６℃に到達し（Ｓ１０）、Ｄｕｔｙ＝７５％に変更する（Ｓ４）。これで再び環境温度は上昇を始め、第２の設定環境温度に到達し（Ｓ５）、Ｄｕｔｙ＝５０％に変更し（Ｓ６）、第１の設定環境温度に到達し（Ｓ７）、Ｄｕｔｙ＝１０％に変更する（Ｓ８）。ここで記録を続け、終了する（Ｓ２）。
【００７０】
図６のＤ曲線は（Ｓ０）−（Ｓ１）−（Ｓ３）−（Ｓ４）−（Ｓ５）−（Ｓ６）−（Ｓ７）−（Ｓ８）−（Ｓ９）−（Ｓ１０）−（Ｓ４）−（Ｓ５）−（Ｓ６）−（Ｓ７）−（Ｓ８）−（Ｓ２）の制御の流れによる環境温度測定値の変化に相当する。また、同様に図６のＧ曲線は（Ｓ０）−（Ｓ１）−（Ｓ３）−（Ｓ４）−（Ｓ５）−（Ｓ６）−（Ｓ２）の制御の流れによる環境温度測定値の変化に相当する。
【００７１】
（実施例３）
図７は本発明の実施例３における光ディスクの装置の間欠記録動作におけるＤｕｔｙについて説明する図である。
【００７２】
実施例１、実施例２において記録動作と記録停止動作を交互に繰り返す周期は一定であったが、実施例３においては記録停止動作時間を一定時間に固定するようにした。その他は全く同じ構成、同じ記録方法の流れ、同じ環境温度とＤｕｔｙすなわち記録速度の変更の制御の流れである。図７において記録停止動作時間を０．６秒とした。図７（ａ）は記録動作時間２．４秒、記録停止動作時間０．６秒でＤｕｔｙ＝８０％、図７（ｂ）は記録動作時間１．４秒、記録停止動作時間０．６秒でＤｕｔｙ＝７０％、図７（ｃ）は記録動作時間０秒、記録停止動作時間０．６秒でＤｕｔｙ＝０％である。Ｄｕｔｙ＝１００％の場合のみ記録停止動作時間を０秒とし、連続記録とする。
【００７３】
環境温度測定値の読み取り周期は前記と同じ理由で最短の記録動作と記録停止動作を交互に繰り返す周期である記録停止動作時間よりも短いことが望ましい。よって本実施例３においては０．３秒とした。
【００７４】
なお、記録時間動作を一定にし、記録停止動作時間を可変にしても良い。しかし本実施例３の場合は記録停止動作時間が一定で、これによるホストコンピュータ１５の動作停止時間も一定になることによって、ホストコンピュータ１５とのデータの受け渡し処理などの制御が容易になるなどの長所がある。
【００７５】
（実施例４）
実施例４は温度センサ１６としてレーザ光源の駆動電流を用いるもので、その他の構成、記録方法の流れ、環境温度とＤｕｔｙすなわち記録速度の変更の制御の流れは実施例１から実施例３までと同じである。
【００７６】
レーザ光の光源であるレーザダイオードは記録動作時も記録停止動作時や再生時もそれぞれレーザダイオードから発光される出力が常に一定になるように駆動電流が制御されている。ところが、レーザダイオードの温度が上がると同じ出力で発光させるのに必要な駆動電流は大きくなる。したがって、この駆動電流はレーザダイオードの温度センサ１６として使うことができる。あらかじめ、記録動作時、記録停止動作時の駆動電流値とレーザダイオードの温度の関係をコントローラ１３内のメモリに記憶されたデータテーブルあるいは関数に設定しておく。記録動作時、記録停止動作時にはそのときの駆動電流をモニタすることでレーザダイオードの温度とすることができる。このように本実施例４ではレーザダイオードの温度が直接わかるのでより正確で精度が高い温度制御ができる。
【産業上の利用可能性】
【００７７】
以上のように本発明にかかる光ディスク装置の記録方法は記録動作中にレーザ光の光源であるレーザダイオードやレーザ駆動部であるドライバＩＣなどが発熱し、補償温度を越えて制御不能になることを防ぎ、安定した動作ができる。そのため、電子機器に内蔵や外付けで使用されるＣＤ−Ｒ／ＲＷやＤＶＤ−Ｒ／ＲＷ／ＲＡＭなどの記録機能を有する光ディスク装置に利用可能である。また、本発明にかかる光ディスク装置は電子機器に内蔵や外付けで使用される。
【図面の簡単な説明】
【００７８】
【図１】本発明の実施例１における光ディスク装置の光ピックアップ制御部のブロック図
【図２】（ａ）は本発明の実施例１における光ディスク装置の間欠記録動作におけるＤｕｔｙ＝１００％について説明する図、（ｂ）はＤｕｔｙ＝７０％について説明する図、（ｃ）はＤｕｔｙ＝０％について説明する図
【図３】本発明の実施例１における光ディスク装置の記録時の動作の流れを示す図
【図４】本発明の実施例１における光ディスク装置の間欠記録動作と環境温度の関係を示す図
【図５】本発明の実施例２における光ディスク装置の記録時の動作の流れを示す図
【図６】本発明の実施例２における光ディスク装置の間欠記録動作と環境温度の関係を示す図
【図７】（ａ）は本発明の実施例３における光ディスク装置の間欠記録動作におけるＤｕｔｙ＝８０％について説明する図、（ｂ）はＤｕｔｙ＝７０％について説明する図、（ｃ）はＤｕｔｙ＝０％について説明する図
【図８】従来の光ディスク装置の光ピックアップ制御部のブロック図
【符号の説明】
【００７９】
１    光ディスク
２    ピックアップモジュール
３    スピンドルモータ
４    光ピックアップ
５    キャリッジ
６    フィード部
７    フィードモータ
８    アナログ信号処理部
９    サーボ処理部
１０    モータ駆動部
１１    ディジタル信号処理部
１２    レーザ駆動部
１３    コントローラ
１４    対物レンズ
１５    ホストコンピュータ
１６    温度センサ
【図１】
2005166232.tif 000003
【図２】
2005166232.tif 000004
【図３】
2005166232.tif 000005
【図４】
2005166232.tif 000006
【図５】
2005166232.tif 000007
【図６】
2005166232.tif 000008
【図７】
2005166232.tif 000009
【図８】
2005166232.tif 000010